(57)【要約】【課題】  便器の着座部に装着して用いる暖房便座において、比較的簡単な構成にて、便座を使用しない待機時の消費電力を低減しながら、着座時の冷ややか感を極力防止する事を目的とするものである。【解決手段】  便器の上に装着され、内部に加熱用の便座ヒータを装着した平面形状が略０字状の便座本体を備えたものにおいて、便座ヒータを、前後方向の略中間部のみ加熱する第１ヒータと、全体を加熱する第２ヒータとに分割構成して成る。【選択図】        図２
2007082659.tif 000002
【特許請求の範囲】
【請求項１】
便器の上に装着され、内部に加熱用の便座ヒータを装着した平面形状が略０字状の便座本体を備えたものにおいて、上記便座ヒータを、前後方向の略中間部のみ加熱する第１ヒータと、全体を加熱する第２ヒータに分割した事を特徴とする暖房便座。
【請求項２】
上記便座本体への着座を検出する着座スイッチと、上記第１ヒータや第２ヒータへの通電を制御する制御手段を設けると共に、この制御手段を、上記第１ヒータには常時通電し、上記着座スイッチにより着座を検出した場合に第２ヒータに通電する様に構成した事を特徴とする、上記請求項１に記載の暖房便座。
【請求項３】
上記便座本体への人体の接近を検出する人体センサと、上記第１ヒータや第２ヒータへの通電を制御する制御手段を設けると共に、この制御手段を、上記第１ヒータには常時通電し、上記人体センサにより人体の接近を検出すると、第１ヒータによる加熱温度を低下する様に構成した事を特徴とする、上記請求項１に記載の暖房便座。
【請求項４】
上記便座本体への人体の接近を検出する人体センサと、上記第１ヒータや第２ヒータへの通電を制御する制御手段を設けると共に、この制御手段を、上記人体センサにより人体の接近を検出すると第１ヒータへの通電を開始する様に構成した事を特徴とする、上記請求項１に記載の暖房便座。
【請求項５】
上記便座本体への着座を検出する着座スイッチを設けると共に、上記制御手段を、上記着座スイッチにて着座を検出すると上記第２ヒータへの通電を開始する様に構成した事を特徴とする、上記請求項４に記載の暖房便座。
【発明の詳細な説明】
【技術分野】
【０００１】
本発明は、便器の着座面に装着し、着座時に使用者のお尻を暖める暖房便座に関する。
【背景技術】
【０００２】
従来、暖房便座の加熱には、便座の裏面に接着剤やテープにて線状ヒータを配置し、このヒータに通電することで行なっていた。
【０００３】
一方、近年消費電力の低減として、誘導加熱により便座を加熱したり、ＰＴＣ等の半導体ヒータで加熱するものが提案されているが、前者では構造が複雑となり、後者では局部加熱が発生しやすいという問題がある。
【０００４】
そこで、例えば特許文献１に示される様に、着座部をステンレスやアルミニウム等の金属材料で形成し、発熱体の熱を短時間で着座面に伝達させるもので提案されている。
【特許文献１】特開２００５−１１０８３８号公報
【発明の開示】
【発明が解決しようとする課題】
【０００５】
然しながら、上記特許文献１に示される様に着座部を金属材料で形成した場合、便座全体の重量が重くなり、便座の開閉が重くなるという問題がある。
【０００６】
そこで本発明は、比較的簡単な構成にて、便座を使用しない待機時の消費電力を低減する事を目的とする。
【課題を解決するための手段】
【０００７】
本発明の請求項１の構成は、便器の上に装着され、内部に加熱用の便座ヒータを装着した平面形状が略０字状の便座本体を備えたものにおいて、便座ヒータを、前後方向の略中間部のみ加熱する第１ヒータと、全体を加熱する第２ヒータに分割して成るものである。
【０００８】
本発明の請求項２の構成は、請求項１の構成において、便座本体への着座を検出する着座スイッチと、第１ヒータや第２ヒータへの通電を制御する制御手段を設けると共に、この制御手段を、第１ヒータには常時通電し、着座スイッチにより着座を検出した場合に第２ヒータに通電する様に構成して成るものである。
【０００９】
本発明の請求項３の構成は、請求項１の構成において、便座本体への人体の接近を検出する人体センサと、第１ヒータや第２ヒータへの通電を制御する制御手段を設けると共に、この制御手段を、第１ヒータには常時通電し、人体センサにより人体の接近を検出すると、第１ヒータによる加熱温度を低下する様に構成して成るものである。
【００１０】
本発明の請求項４の構成は、請求項１の構成において、便座本体への人体の接近を検出する人体センサと、第１ヒータや第２ヒータへの通電を制御する制御手段を設けると共に、この制御手段を、人体センサにより人体の接近を検出すると第１ヒータへの通電を開始する様に構成して成るものである。
【００１１】
本発明の請求項５の構成は、請求項４の構成において、便座本体への着座を検出する着座スイッチを設けると共に、制御手段を、着座スイッチにて着座を検出すると第２ヒータへの通電を開始する様に構成して成るものである。
【発明の効果】
【００１２】
本発明の請求項１に記載の構成により、便座を加熱する便座ヒータを、便座の中間部分のみ加熱する第１ヒータと、全体を加熱する第２ヒータに分割して構成したことで、例えば便座の非使用時には第１ヒータのみに通電すれば、待機時の消費電力を低減する事が出来るものである。
【００１３】
本発明の請求項２に記載の構成により、第１ヒータへは常時通電して便座の中間部分を加熱し、第２ヒータは着座時に通電する様に構成したことで、着座した瞬間時の冷ややか感を極力防止ししながら、待機時の消費電力を低減する事が出来るものである。
【００１４】
本発明の請求項３に記載の構成により、人体センサにより便座への人体の接近を検出すると第１ヒータによる加熱設定温度を低下する様に構成したことで、便座の非使用時には第１ヒータによる加熱温度を高めに設定して第１ヒータによる加熱範囲を極力拡大することで、着座した瞬間における冷ややか感を極力防止する事が出来るものである。
【００１５】
本発明の請求項４に記載の構成により、人体センサにより便座への人体の接近を検出すると第１ヒータへの通電を開始する様に構成したことで、例えば第１ヒータを面状ヒータ等の昇温時間の短いヒータで構成し、便座に人体が接近してから着座する間に便座の中間部分を加熱することで、第１ヒータに常時通電する場合に比較して待機時の消費電力を大幅に短縮できると共に、第１ヒータにて便座の中間部分のみ加熱することで該部の温度上昇時間を短縮出来るものである。
【００１６】
本発明の請求項５に記載の構成により、着座スイッチにて便座への着座を検出すると第２ヒータへの通電を開始することで、人体センサにて便座への人体の接近を検出しても、着座しなければ第２ヒータへ通電しないことで、男性の小用時や掃除時等には第２ヒータへ通電せず、これにより消費電力の低減を図る事が出来るものである。
【発明を実施するための最良の形態】
【００１７】
本発明の実施例を先ず図１に基づき説明すると、１は洋式便器２の上に着脱自在或いは着脱可能に載置された温水洗浄便座で、本体ケース３に暖房便座本体４と便蓋５とを上下方向に開閉自在に枢支している。
【００１８】
又、上記本体ケース３内には、上記便座本体４に着座した人体の局部に向けて洗浄水を噴出する図示しない洗浄ノズルを伸縮自在に収納配置していると共に、この洗浄ノズルに洗浄用の温水を供給する温水タンクや、洗浄ノズルからの温水の噴出を制御するバルブ等を内蔵している。
【００１９】
更に上記本体ケース３の一方の側面には給水管６を突設し、この給水管にフレキシブルな配管ホース７を接続していると共に、この配管ホースは、分岐水栓８を介して市水等の水道管９に接続している。
【００２０】
又、上記本体ケース３の一方の側面には、前方が上記便座本体４の側面に沿って延設された操作部１０を回転可能に枢支し、この操作部の上面に複数の操作ボタン１１・・や表示器１２等を配置している。
【００２１】
上記便座本体４の内部裏面１３には、図２にて示す様にその中間位置付近の左右に半導体ヒータ等の面状ヒータにて構成した第１ヒータ１５，１５を装着していると共に、この第１ヒータの周囲の裏面全体に第２ヒータ１６を配置している。
【００２２】
尚、上記第１ヒータ１５，１５は、各々の両端部に給電端子１７・・を備え、これらにリード線１８・・を接続していると共に、このリード線に接続端子１９，１９を設け、これら接続端子間に後述の電源を接続する様に構成している。
【００２３】
又、上記第２ヒータ１６の両端部にも接続端子２０，２０を設け、これらの接続端子間に電源を接続する様に構成している。
【００２４】
図３は上記第１ヒータ１５，１５や第２ヒータ１６等への通電を制御する制御手段となる制御回路２１の回路図を示すもので、商用電源２２にマイクロコンピュータを中心に構成した制御部２３を接続し、かつこの制御部の入力回路には、上記第１ヒータ１５，１５にて加熱する便座温度を検出する第１温度センサ２４と、上記第２ヒータ１６にて加熱する便座温度を検出する第２温度センサ２５と、上記便座本体１への着座を検出する着座スイッチ２６と、温水洗浄便座１への人体の接近を検出する人体センサ２７とを接続し、この人体センサは、赤外線センサや超音波センサで構成している。
【００２５】
更に上記商用電源２２には、上記制御部２３の出力にて各々制御するスイッチング素子２８，２９，３０，３１，３２を介して、第１ヒータ１５，１５、２ヒータ２ヒータ第１６、温水ヒータ３３、脱臭ファン３４、洗浄バルブ３５を接続している。
【００２６】
尚、上記制御部２３は、第１ヒータ１５，１５に常時通電し、第１温度センサ２４にて検出する便座本体１の中間部分の表面温度が設定温度（例えば３０℃〜４１℃）に維持される様に、第１ヒータ１５への通電を制御すると共に、着座スイッチ２６にて便座本体１への着座を検出時に第２ヒータ１６に通電し、第２温度センサ２５にて検出する便座本体１の全体温度が設定温度（例えば３０℃〜４１℃）に維持される様に、第２ヒータ１６への通電を制御する。
【００２７】
これらの構成により、便座本体４を加熱するヒータを上記第１ヒータ１５，１５と第２ヒータ１６に分割し、かつ第１ヒータ１５，１５には常時通電し、第２ヒータ１６へは便座本体４への人体の着座時のみに通電する様に構成したことで、従来の様に第１ヒータと第２ヒータに常時通電する場合に比較して待機時の消費電力を低減する事が出来るものである。
【００２８】
又上記温水ヒータ３３は、上記本体ケース３内に内蔵された図示しない温水タンク内に貯水された水を設定温度（例えば３５℃〜４１℃）に加熱すべく、制御部２３にて通電制御され、脱臭ファン３５は同じく本体ケース３内に内蔵された図示しない脱臭剤に便器２内の空気を循環して脱臭し、洗浄バルブ３５は同じく本体ケース３内に伸縮自在に収納された図示しない洗浄ノズルからの洗浄水の噴出を制御するものである。
【００２９】
更に上記制御部は、待機時には上記第１ヒータ１５，１５にて加熱する設定温度を上記設定温度より高い高温設定温度（例えば４２℃〜４５℃）に設定し、人体センサ２７にて温水洗浄便座１への人体の接近を検出すると、上記通常の設定温度（例えば３０℃〜４１℃）に設定する様に構成しており、これにより、第１ヒータ１５，１５にて加熱される範囲を拡大し、着座した瞬間に冷たいと感じる範囲を狭くし、不快感を少なくする事が出来るものである。
【００３０】
上記実施例では、第１ヒータ１５，１５に常時通電して便座本体４を設定温度に保温する様に構成しているが、上記実施例にて示す様に第１ヒータ１５，１５を昇温時間の短い面状ヒータにて構成し、かつ人体センサ２７にて温水洗浄便座１への人体の接近を検出すると第１ヒータ１５，１５に通電し、人体センサ２７にて人体の接近を検出してから便座本体４に着座する間にこの便座本体を加熱する様に構成することで、待機時に第１ヒータ１５，１５に通電する必要がなく、待機時の消費電力を大幅に低減する事が出来るものである。
【００３１】
又、上記実施例においては、人体センサ２７にて人体の接近を検出すると、第１ヒータ１５，１５への通電と同時に第２ヒータ１６への通電を開始しても良いが、着座スイッチ２６により着座を検出後に第２ヒータ１６への通電を開始する様に構成しても良く、これにより、掃除や男性の小用等の、便座本体１に接近しながら着座しない場合の無駄な電力の消費を確実に防止する事が出来るものである。
【００３２】
尚、上記実施例では第１ヒータ１５，１５に面状ヒータを用いているが、これら第１ヒータに常時通電する場合には安価なコード状のヒータを用いても良く、これにより、高価で複雑なヒータを用いる必要がなく、低コストの構造で、消費電力を低減する事が出来るものである。
【図面の簡単な説明】
【００３３】
【図１】本発明による暖房便座を設置した実施例を示す斜視図である。
【図２】本発明による実施例の要部を示す底面図である。
【図３】同じく回路図である。
【符号の説明】
【００３４】
２    便器
４    便座本体
１５  第１ヒータ
１６  第２ヒータ
２１  制御回路（制御手段）
２６  着座スイッチ
２７  人体センサ
【図１】
2007082659.tif 000003
【図２】
2007082659.tif 000004
【図３】
2007082659.tif 000005